(57)【要約】【課題】装置を小型化することが可能なシート製造装置を提供する。【解決手段】シート製造装置１００は、第１搬送ベルトを周回させ少なくとも繊維を含むウエブを搬送する第１搬送部と、ウエブの表面と垂直な方向において第１搬送部と離間し、ウエブの搬送方向において第１搬送部と一部が下流側にずれて配置され、ウエブが第１搬送ベルトから離間する方向にウエブを吸引しながらウエブを搬送する第２搬送部４０とを含む。第２搬送部４０は、吸引力を発生する吸引部４４と、周回する第２搬送ベルト４１と、周回する第２搬送ベルト４１の内側に位置し吸引部４４により内部空間を吸引されて第２搬送ベルト４１にウエブを吸着する吸引室４３とを有し、吸引部４４は、ウエブの表面に沿いウエブの搬送方向に直交する方向において第２搬送ベルト４１の外側に位置する。【選択図】図２
2015168903.tif 000002
【特許請求の範囲】
【請求項１】
少なくとも繊維を含むウエブを第１搬送ベルトの上に堆積する堆積部と、
前記第１搬送ベルトを周回させ前記ウエブを搬送する第１搬送部と、
前記ウエブの表面と垂直な方向において前記第１搬送部と離間し、前記ウエブの搬送方向において前記第１搬送部と一部が下流側にずれて配置され、前記ウエブが前記第１搬送ベルトから離間する方向に前記ウエブを吸引しながら前記ウエブを搬送する第２搬送部とを含み、前記ウエブを用いてシートを形成するシート製造装置であって、
前記第２搬送部は、吸引力を発生する吸引部と、周回する第２搬送ベルトと、周回する前記第２搬送ベルトの内側に位置し前記吸引部により内部空間を吸引されて前記第２搬送ベルトに前記ウエブを吸着する吸引室とを有し、
前記吸引部は、前記ウエブの表面に沿い前記ウエブの搬送方向に直交する方向において前記第２搬送ベルトの外側に位置する、シート製造装置。
【請求項２】
前記第１搬送ベルトに対向する前記第２搬送部の面に複数の孔を有し、
前記吸引部に近い側の前記孔は、前記吸引部から遠い側の前記孔よりも、前記面における単位面積当たりの前記孔の開口の割合が小さい、請求項１に記載のシート製造装置。
【請求項３】
前記吸引部に近い側の前記孔は、前記吸引部から遠い側の前記孔よりも、前記孔の大きさが小さい、請求項２に記載のシート製造装置。
【請求項４】
前記ウエブの表面に沿い前記ウエブの搬送方向に直交する方向において隣り合う前記孔の中心間距離は、前記吸引部に近い側の前記孔の方が前記吸引部から遠い側の前記孔よりも長い、請求項２に記載のシート製造装置。
【請求項５】
前記複数の孔は、前記吸引室に配置された整流板に設けられた複数の孔である、請求項２〜４のいずれか１項に記載のシート製造装置。
【請求項６】
前記複数の孔は、前記第２搬送ベルトに設けられた複数の孔である、請求項２〜４のいずれか１項に記載のシート製造装置。
【発明の詳細な説明】
【技術分野】
【０００１】
本発明は、シート製造装置に関する。
【背景技術】
【０００２】
特許文献１には、２つの不織布によって形成された布材を乾式形成するための装置において、移送ワイヤのエンクロージャー内にサクションボックスを設けることが開示されている。
【先行技術文献】
【特許文献】
【０００３】
【特許文献１】特表２００６−５２５４３５号公報
【発明の概要】
【発明が解決しようとする課題】
【０００４】
特許文献１に開示された装置では、移送ワイヤ内に吸引部（サクションボックス）を設けるためのスペースが必要となるため、移送ワイヤの長さを大きくしなければならず、装置が大型化する。
【課題を解決するための手段】
【０００５】
本発明は前述の課題の少なくとも一部を解決するためになされたものであり、以下の態様または適用例として実現することができる。
【０００６】
（１）本発明に係るシート製造装置の一態様は、
少なくとも繊維を含むウエブを第１搬送ベルトの上に堆積する堆積部と、
前記第１搬送ベルトを周回させ前記ウエブを搬送する第１搬送部と、
前記ウエブの表面と垂直な方向において前記第１搬送部と離間し、前記ウエブの搬送方向において前記第１搬送部と一部が下流側にずれて配置され、前記ウエブが前記第１搬送ベルトから離間する方向に前記ウエブを吸引しながら前記ウエブを搬送する第２搬送部とを含み、前記ウエブを用いてシートを形成するシート製造装置であって、
前記第２搬送部は、吸引力を発生する吸引部と、周回する第２搬送ベルトと、周回する前記第２搬送ベルトの内側に位置し前記吸引部により内部空間を吸引されて前記第２搬送ベルトに前記ウエブを吸着する吸引室とを有し、
前記吸引部は、前記ウエブの表面に沿い前記ウエブの搬送方向に直交する方向において前記第２搬送ベルトの外側に位置する。
【０００７】
このようなシート製造装置では、吸引部を、第２搬送ベルトの内側に設けずに、ウエブの表面に沿いウエブの搬送方向に直交する方向において第２搬送ベルトの外側に設けることで、第２搬送ベルトの内の吸引室を小さくすることができるため、第２搬送ベルトの長さを小さくすることができ、装置を小型化することができる。
【０００８】
（２）本発明に係るシート製造装置において、
前記第１搬送ベルトに対向する前記第２搬送部の面に複数の孔を有し、
前記吸引部に近い側の前記孔を、前記吸引部から遠い側の前記孔よりも、前記面における単位面積当たりの前記孔の開口の割合を小さくしてもよい。
【０００９】
このようなシート製造装置では、第１搬送ベルトに対向する第２搬送部の面に複数の孔を設け、当該面において吸引部に近い側を吸引部から遠い側よりも単位面積当たりの孔の
開口の割合を小さくすることで、吸引部を第２搬送ベルトの外側に設けつつも、吸引部に近い側と遠い側とで吸引力を均一にすることができる。
【００１０】
（３）本発明に係るシート製造装置において、
前記吸引部に近い側の前記孔を、前記吸引部から遠い側の前記孔よりも、前記孔の大きさを小さくしてもよい。
【００１１】
このようなシート製造装置では、吸引部に近い側と遠い側とで孔の大きさを変えることで、吸引部に近い側と遠い側とで単位面積当たりの孔の開口の割合を容易に変えることができ、吸引部に近い側と遠い側とで吸引力を均一にすることができる。
【００１２】
（４）本発明に係るシート製造装置において、
前記ウエブの表面に沿い前記ウエブの搬送方向に直交する方向において隣り合う前記孔の中心間距離を、前記吸引部に近い側の前記孔の方が前記吸引部から遠い側の前記孔よりも長くしてもよい。
【００１３】
このようなシート製造装置では、吸引部に近い側と遠い側とで隣り合う孔の中心間距離を変えることで、吸引部に近い側と遠い側とで単位面積当たりの孔の開口の割合を容易に変えることができ、吸引部に近い側と遠い側とで吸引力を均一にすることができる。
【００１４】
（５）本発明に係るシート製造装置において、
前記複数の孔は、前記吸引室に配置された整流板に設けられた複数の孔であってもよい。
【００１５】
（６）本発明に係るシート製造装置において、
前記複数の孔は、前記第２搬送ベルトに設けられた複数の孔であってもよい。
【図面の簡単な説明】
【００１６】
【図１】本実施形態に係るシート製造装置を模式的に示す図。
【図２】第２搬送装置を模式的に示す斜視図。
【図３】第２搬送装置を模式的に示す図。
【図４】整流板のいくつかの一例を示す模式図。
【図５】整流板のいくつかの一例を示す模式図。
【発明を実施するための形態】
【００１７】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００１８】
１．全体構成
図１は、本実施形態に係るシート製造装置１００を模式的に示す図である。図１に示すように、シート製造装置１００は、粗砕部１０と、解繊部２０と、分級部６３と、混合部３０と、ほぐし部７０と、堆積部７５と、第１搬送部７９と、第２搬送部４０と、加圧部５０と、加熱部５２と、切断部９０と、を含む。
【００１９】
粗砕部１０は、パルプシートや投入された紙（例えばＡ４サイズの古紙）などの原料を、空気中で裁断（粗砕）して細片にする。細片の形状や大きさは、特に限定されないが、例えば、数ｃｍ角の細片である。図示の例では、粗砕部１０は、粗砕刃１１を有し、粗砕刃１１によって、投入された原料を裁断することができる。粗砕部１０には、原料を連続
的に投入するための自動投入部（図示せず）が設けられていてもよい。
【００２０】
粗砕部１０によって裁断された細片は、ホッパー１５で受けてから管８１を介して、解繊部２０へ搬送される。管８１は、解繊部２０の導入口２１と連通している。
【００２１】
解繊部２０は、細片（被解繊物）を解繊処理する。解繊部２０は、細片を解繊処理することにより、繊維状に解きほぐされた繊維を生成する。
【００２２】
ここで、「解繊処理」とは、複数の繊維が結着されてなる細片を、繊維１本１本に解きほぐすことをいう。解繊部２０を通過したものを「解繊物」という。「解繊物」には、解きほぐされた繊維の他に、繊維を解きほぐす際に繊維から分離した樹脂（複数の繊維同士を結着させるための樹脂）粒や、インク、トナー、にじみ防止材等のインク粒を含んでいる場合もある。この後の記載において、「解繊物」は解繊部２０を通過したものの少なくとも一部であり、解繊部２０を通過した後に添加されたものが混ざっていてもよい。
【００２３】
解繊部２０は、細片に付着した樹脂粒やインク、トナー、にじみ防止材等のインク粒を繊維から分離させる。樹脂粒及びインク粒は、解繊物とともに、排出口２２から排出される。解繊部２０は、回転刃によって、導入口２１から導入された細片を、解繊処理する。解繊部２０は、空気中において乾式で解繊を行う。
【００２４】
解繊部２０は、気流を発生させる機構を有していることが好ましい。この場合、解繊部２０は、自ら発生する気流によって、導入口２１から、細片を気流と共に吸引し、解繊処理して、排出口２２へと搬送することができる。排出口２２から排出された解繊物は、管８２を介して、分級部６３に導入される。なお、気流発生機構を有していない解繊部２０を用いる場合には、細片を導入口２１に導く気流を発生する機構を、外付けで設けてもよい。
【００２５】
分級部６３は、解繊物から、樹脂粒、インク粒を分離して除去する。分級部６３としては、気流式分級機を用いる。気流式分級機は、旋回気流を発生させ、遠心力と分級されるもののサイズや密度によって分離するものであり、気流の速度及び遠心力の調整によって、分級点を調整することができる。具体的には、分級部６３としては、サイクロン、エルボージェット、エディクラシファイヤーなどを用いる。特にサイクロンは、構造が簡便であるため、分級部６３として好適に用いることができる。以下では、分級部６３として、サイクロンを用いた場合について説明する。
【００２６】
分級部６３は、少なくとも導入口６４と、下部に設けられている下部排出口６７と、上部に設けられている上部排出口６８と、を有している。分級部６３において、導入口６４から導入された解繊物をのせた気流は、円周運動させられ、これにより、導入された解繊物には、遠心力がかかって、繊維物（解きほぐされた繊維）と、繊維物より小さく密度の低い廃棄物（樹脂粒、インク粒）と、に分離される。繊維物は、下部排出口６７から排出され、管８６を通ってほぐし部７０の導入口７１に導入される。一方、廃棄物は、上部排出口６８から管８４を通って分級部６３の外部に排出される。
【００２７】
なお、分級部６３により繊維物と廃棄物に分離すると記載したが、正確に分離できる訳ではない。繊維物のうち比較的小さいものや密度の低いものは廃棄物とともに外部に排出される場合がある。また、廃棄物のうち比較的密度の高いものや繊維物に絡まってしまったものは繊維物とともにほぐし部７０へ導入される場合もある。本願では、下部排出口６７から排出されるもの（長い繊維を含む割合が廃棄物より多いもの）を「繊維物」といい、上部排出口６８から排出されるもの（長い繊維を含む割合が繊維物より少ないもの）を「廃棄物」という。なお、原料が古紙でなくパルプシートのような場合には、廃棄物に相
当するものが含まれていないため、シート製造装置１００の構成として分級部６３を省略してもよい。
【００２８】
管８６には、繊維同士を結着させる樹脂が供給されるための供給口８７が設けられている。樹脂供給部８８は、供給口８７から管８６に空気中で樹脂を供給する。すなわち、樹脂供給部８８は、繊維物が分級部６３からほぐし部７０に向かう経路に、樹脂を供給する。樹脂供給部８８としては、管８６に樹脂を供給することができれば特に限定されないが、スクリューフィーダー、サークルフィーダーなどを用いる。樹脂供給部８８から供給される樹脂は、複数の繊維を結着させるための樹脂である。樹脂が管８６に供給された時点では、複数の繊維は結着されていない。樹脂は、熱可塑性樹脂や熱硬化性樹脂であり、繊維状であってもよく、粉末状であってもよい。樹脂供給部８８から供給される樹脂の量は、製造されるシートの種類に応じて適切に設定される。なお、繊維を結着させる樹脂の他、製造されるシートの種類に応じて、繊維を着色するための着色剤や、繊維の凝集を防止するための凝集防止材を供給してもよい。なお、シート製造装置１００の構成として樹脂供給部８８を省略してもよい。
【００２９】
樹脂供給部８８から供給された樹脂は、管８６内に設けられた混合部３０によって、分級部６３で分級された繊維物と混合される。混合部３０は、繊維物と樹脂とを、混合させながら、ほぐし部７０に搬送する。
【００３０】
ほぐし部７０は、絡み合った通過物をほぐす。さらに、ほぐし部７０は、樹脂供給部８８から供給される樹脂が繊維状である場合、絡み合った樹脂をほぐす。また、ほぐし部７０は、後述する堆積部７５に、繊維物や樹脂を均一に堆積する。つまり、「ほぐす」という言葉は、絡み合ったものをバラバラにする作用や均一に堆積させる作用を含むものである。なお、絡み合ったものが無ければ均一に堆積させる作用となる。ほぐし部７０としては、篩を用いる。ほぐし部７０は、モーター（図示せず）によって網部が回転する回転式の篩である。ここで、ほぐし部７０として用いられる「篩」は、特定の対象物を選別する機能を有していなくてもよい。すなわち、ほぐし部７０として用いられる「篩」とは、複数の開口を有する網部を備えたもの、という意味であり、ほぐし部７０は、ほぐし部７０に導入された繊維物および樹脂の全てを、開口から外部に排出してもよい。なお、シート製造装置１００の構成としてほぐし部７０を省略してもよい。
【００３１】
ほぐし部７０が回転している状態で、繊維物と樹脂との混合物は、導入口７１から円筒状の網部からなるほぐし部７０の内部に導入される。ほぐし部７０に導入された混合物は、遠心力によって網部側に移動する。上記のように、ほぐし部７０に導入される混合物は、絡み合った繊維や樹脂を含んでいる場合があり、絡み合った繊維や樹脂は、回転している網部によって空気中でほぐされる。そして、ほぐされた繊維や樹脂は、開口を通過する。
【００３２】
ほぐし部７０の開口を通過した繊維物および樹脂は、堆積部７５に堆積される。堆積部７５は、ほぐし部７０の下方に位置し、ほぐし部７０の開口を通過した繊維物および樹脂を第１搬送ベルト７６の上に堆積させてウエブＷ（堆積物）を形成する。
【００３３】
第１搬送部７９は、第１搬送ベルト７６と、張架ローラー７７とを有し、ウエブＷを搬送する。第１搬送ベルト７６は、張架ローラー７７によって張架されるメッシュが形成されているエンドレスのメッシュベルトである。第１搬送ベルト７６は、張架ローラー７７が自転することによって移動する（周回する）。第１搬送ベルト７６が連続的に移動しながら、ほぐし部７０から解繊物および樹脂が連続的に降り積もることにより、第１搬送ベルト７６上に厚さの均一なウエブＷが形成される。
【００３４】
ほぐし部７０の下方には、第１搬送ベルト７６（堆積部７５）を介して、堆積物を下方から吸引するサクション装置７８が設けられている。サクション装置７８は、鉛直下方に向けた気流（ほぐし部７０から堆積部７５に向く気流）を発生させる。これにより、空気中に分散させた繊維物および樹脂を吸引することができ、ほぐし部７０からの排出速度を大きくすることができる。その結果、シート製造装置１００の生産性を高くすることができる。また、サクション装置７８によって、繊維物および樹脂の落下経路にダウンフローを形成することができ、落下中に繊維物や樹脂が絡み合うことを防ぐことができる。
【００３５】
第２搬送部４０は、第１搬送ベルト７６上に形成され第１搬送部７９によって搬送されたウエブＷを加圧部５０に向けて搬送する。また、第２搬送部４０は、鉛直上方（ウエブＷが第１搬送ベルト７６から離間する方向）にウエブＷを吸引しながらウエブＷを搬送する。第２搬送部４０は、第１搬送部７９（第１搬送ベルト７６）から鉛直上方（ウエブＷの表面に対して垂直な方向）に離間して配置され、且つ、ウエブＷの搬送方向において第１搬送部７９（第１搬送ベルト７６）と一部が下流側にずれて配置されている。第２搬送部４０の搬送区間は、第１搬送部７９の下流側の張架ローラー７７ａから加圧部５０までの区間となる。
【００３６】
第２搬送部４０は、第２搬送ベルト４１と、張架ローラー４２と、吸引室４３と、吸引部（図２参照）とを有する。第２搬送ベルト４１は、張架ローラー４２によって張架されるメッシュが形成されているエンドレスのメッシュベルトである。
【００３７】
吸引室４３は、第２搬送ベルト４１の内側に位置し、気流（吸引力）を発生させる吸引部により内部空間を吸引されて、第２搬送ベルト４１にウエブＷを吸着する。すなわち、吸引部と吸引室４３は、第１搬送ベルト７６に対して鉛直上方に向けた気流を発生させ、これによりウエブＷを上方から吸引し、第２搬送ベルト４１にウエブＷを吸着する。第２搬送ベルト４１は、張架ローラー４２が自転することによって移動（周回）し、ウエブＷを搬送する。張架ローラー４２は、第２搬送ベルト４１が第１搬送ベルト７６と同速度で移動するように自転する。第１搬送ベルト７６と第２搬送ベルト４１の速度に差があると、ウエブＷが引っ張られて破断したり座屈したりすることを、同速度にすることで防止できる。
【００３８】
吸引室４３は、上方から見て、第１搬送ベルト７６と一部が重なり、また、サクション装置７８と重ならない下流側の位置に配置されるため、第１搬送ベルト７６上のウエブＷは、吸引室４３と対向する位置において第１搬送ベルト７６から剥離して第２搬送ベルト４１に吸着する。
【００３９】
加圧部５０は、一対の加圧ローラーで構成され、第２搬送部４０により搬送されたウエブＷをローラーにより挟み込んで加圧する。加熱部５２は、加圧部５０の下流側に配置され、一対の加熱ローラーで構成され、ローラーによりウエブＷを挟み込んで加熱及び加圧する。繊維物および樹脂が堆積した堆積物であるウエブＷは、加圧部５０と加熱部５２を通過することによって加熱および加圧される。加熱により、樹脂は、結着剤として機能して繊維同士を結着させ、加圧により薄くし、さらに表面を平滑化し、シートＰが成形される。
【００４０】
加熱部５２の下流側には、シートＰを切断する切断部９０として、シートＰの搬送方向と交差する方向にシートＰを切断する第１切断部９０ａと、シートＰの搬送方向に沿ってシートＰを切断する第２切断部９０ｂが配置されている。第１切断部９０ａは、カッターを備え、連続状のシートＰを所定の長さに設定された切断位置に従って枚葉状に裁断する。第２切断部９０ｂは、カッターを備え、シートＰの搬送方向における所定の切断位置に従って裁断する。これにより、所望するサイズのシートが形成される。切断されたシート
Ｐはスタッカー９５等に積載される。なお、シートＰを切断せずに、連続状のまま巻き取りローラーによって巻き取るように構成してもよい。以上により、シートＰを製造することができる。
【００４１】
２．第２搬送部の構成
図２は、第２搬送部４０を模式的に示す斜視図である。図２に示すように、第２搬送ベルト４１の内側に配置された吸引室４３は、上面と当該上面に接する４つの側面とを有する中空の箱型形状をしており、底面（下方の第２搬送ベルト４１と対向する面）が開口している。
【００４２】
吸引室４３の４つの側面のうち２つの側面は、第２搬送ベルト４１と対向している。第２搬送ベルト４１と対向しない２つの側面の少なくとも一方には、管４５が連通する開口４９が設けられている。吸引部４４（ブロア）と吸引室４３は管４５を介して接続されている。吸引室４３内の空気は、管４５を介して吸引部４４に向けて吸引され、吸引室４３の底面から空気が流れ込む。これにより上方（図中＋Ｙ軸方向）に向けた気流を発生させ、ウエブＷを上方から吸引する（ウエブＷを第２搬送ベルト４１に吸着する）ことができる。なお、図２に示す例では、吸引室４３の一部の側面の端部が張架ローラー４２に接触しているため、当該端部にブラシ状のシール材を設けている。これにより、当該端部と張架ローラー４２の間から空気が流れ込むことを抑制している。また、これにより、ウエブＷの搬送方向において、吸引する区間を長くできる。
【００４３】
本実施形態の第２搬送部４０では、吸引部４４を第２搬送ベルト４１の内側に配置せずに、吸引部４４を、ウエブＷの表面に沿いウエブＷの搬送方向（図中＋Ｘ軸方向）に直交する方向（図２に示す例では＋Ｚ軸方向）において第２搬送ベルト４１の外側に設けている。すなわち、吸引室４３の上面から吸引せずに、吸引室４３の第２搬送ベルト４１と対向しない側面から吸引するように構成している。これにより、第２搬送ベルト４１で囲まれる空間を小さくすることができるため、第２搬送ベルト４１の長さを小さくすることができ、装置を小型化することができる。
【００４４】
吸引部４４を第２搬送ベルト４１の外側に配置して吸引室４３の側面から吸引するように構成すると、吸引部４４（開口４９）に近い側と遠い側とで吸引力が均一でなくなる。すなわち、第２搬送ベルト４１の幅方向において、吸引部４４から遠い側では、吸引部４４に近い側に比べて吸引力が弱くなる。
【００４５】
そこで、図３に示すように、吸引室４３内に整流板４６を設けることで、第２搬送ベルト４１の幅方向において吸引力が均一になるようにしてもよい。整流板４６は、表面に複数の孔を有する板形状をしており、吸引室４３内において、下方の第２搬送ベルトの搬送面４１ａ（第２搬送部４０のウエブＷを吸引し搬送する面）と開口４９の間の位置に、且つ、孔を有する面が第２搬送ベルトの搬送面４１ａと略平行になるように配置される。また、整流板４６の端部は吸引室４３の側面に接触している。また、整流板４６の表面において、吸引部４４に近い側を吸引部４４から遠い側よりも単位面積当たりの開口（孔）の割合が小さくなっている。
【００４６】
図４は、整流板４６のいくつかの一例を示す模式図である。図４（Ａ）、図４（Ｃ）は、円形の孔４７を設けた整流板４６の例を示し、図４（Ｂ）、図４（Ｄ）は、矩形（スリット状）の孔４７を設けた整流板４６の例を示す。また、図４（Ａ）、図４（Ｂ）は、孔４７の大きさ（径、幅）を調整することで単位面積当たりの開口の割合を調整した例を示し、図４（Ｃ）、図４（Ｄ）は、孔４７のピッチＬ（搬送方向ＣＤと直交する吸引方向ＳＤにおいて隣り合う孔４７の中心間距離）を調整することで単位面積当たりの開口の割合を調整した例を示す。
【００４７】
図４（Ａ）、図４（Ｂ）に示す整流板４６では、吸引部４４に近い側（吸引方向ＳＤ側）の孔４７の径や幅を、吸引部４４から遠い側の孔４７の径や幅よりも小さくすることで、吸引部４４に近い側の単位面積当たりの開口の割合を小さくしている。一方、図４（Ｃ）、図４（Ｄ）に示す整流板４６では、吸引部４４に近い側の孔４７のピッチＬを、吸引部４４から遠い側の孔４７のピッチＬよりも大きくすることで、吸引部４４に近い側の単位面積当たりの開口の割合を小さくしている。なお、図４（Ａ）、図４（Ｂ）に示す例では、ウエブの搬送方向ＣＤと直交する方向の孔４７のピッチＬを一定とし、図４（Ｃ）、図４（Ｄ）に示す例では、孔４７の大きさを一定としているが、整流板４６において、孔４７のピッチＬと孔４７の大きさの両方を変化させてもよい。
【００４８】
このように、吸引室４３内に整流板４６を設け、整流板４６の表面において、吸引部４４（開口４９）に近い側を吸引部４４から遠い側よりも単位面積当たりの開口の割合を小さくすることで、吸引室４３の側面から吸引するように構成しても、吸引部４４に近い側と遠い側とで吸引力を均一にすることができ、ウエブＷを第２搬送ベルト４１の幅方向に渡って確実に吸引（吸着）することができる。
【００４９】
なお、整流板４６は、第２搬送ベルトの搬送面４１ａからある程度の距離だけ離間して配置されることが好ましい。整流板４６が第２搬送ベルトの搬送面４１ａに接触するように配置した場合、整流板４６の開口部（孔４７）以外の領域で吸引力が働き難くなるため、ウエブＷを強く吸着する領域と吸着しない領域が存在し、ウエブＷを均一に吸着できないことが起こり得る。一方、整流板４６と第２搬送ベルトの搬送面４１ａを離間して配置した場合には、整流板４６と第２搬送ベルトの搬送面４１ａとの間で気流が拡散するため、整流板４６の開口部以外の領域でも吸引力が働き、ウエブＷを均一に吸着することができる。
【００５０】
また、上記の例では、吸引室４３の、第２搬送ベルト４１と対向しない２つの側面の一方から吸引する場合について説明したが、第２搬送ベルト４１と対向しない２つの側面のそれぞれに開口４９を設けて、当該２つの側面の両方から２つの吸引部４４（或いは、１つの吸引部４４）を用いて吸引するように構成してもよい。この場合、第２搬送ベルト４１の幅方向において、中央側では端部側に比べて吸引力が弱くなる。従って、吸引室４３の２つの側面の両方から吸引する場合には、図５に示すように、整流板４６において、端部側（吸引部４４に近い側）を中央側（吸引部４４から遠い側）よりも単位面積当たりの開口の割合を小さくすれば、第２搬送ベルト４１の幅方向において吸引力を均一にすることができる。図５（Ａ）に示す整流板４６では、端部側の孔４７の径を中央側の孔４７の径よりも小さくしており、図５（Ｂ）に示す整流板４６では、端部側の孔４７のピッチＬを中央側の孔４７のピッチＬよりも大きくしている。
【００５１】
また、吸引室４３に整流板４６を設けることに代えて、第２搬送ベルト４１のメッシュを、第２搬送ベルト４１の幅方向（搬送方向と直交する方向）において、吸引部４４に近い側を吸引部４４から遠い側よりも単位面積当たりの開口（メッシュで形成される開口、本発明の「孔」の一例）の割合が小さくなるように構成することで、第２搬送ベルト４１の幅方向において吸引力を均一にしてもよい。例えば、第２搬送ベルト４１のメッシュを、第２搬送ベルト４１の幅方向において、吸引部４４に近い側の開口の大きさが吸引部４４から遠い側の開口の大きさよりも小さくなるように構成してもよいし、吸引部４４に近い側の開口のピッチ（隣り合う開口の中心間距離）が吸引部４４から遠い側の開口のピッチよりも大きくなるように構成してもよい。
【００５２】
また、孔４７の形状は円形や矩形に限らず、吸引できる形状であれば、他の形状でもよい。図４の（Ａ）、図４（Ｂ）では吸引方向ＳＤにおいて、徐々に孔４７の大きさが小さ
くなるようにしたが、これに限らない。吸引方向ＳＤにおいて２列ずつ孔４７の大きさを同じにしながら徐々に大きさを変えてもよい。２列ずつではなく、３列以上で同じ大きさにしてもよい。同様に、図４の（Ｃ）、図４（Ｄ）において、ピッチＬを徐々に変えているが、２列以上の列で同じピッチにしながら徐々に変えてもよい。なお、単位面積当たりの孔４７の開口の割合とは、吸引方向ＳＤにおいて孔４７と孔４７の間隔の中間で分割したときに、分割した領域の面積における孔４７の開口の面積の割合である。図４（Ａ）、図４（Ｂ）においては、ピッチがＬで一定のため、孔４７と孔４７の間隔の中間で分割すると、吸引方向ＳＤにおいては一定の面積で分割される。孔４７は吸引方向ＳＤに沿って徐々に小さくなるため、単位面積当たりの孔４７の割合も徐々に小さくなる。図４（Ｃ）、図４（Ｄ）においては、ピッチがＬで徐々に大きくなるため、孔４７と孔４７の間隔の中間で分割すると、吸引方向ＳＤにおいては分割される領域の面積も徐々に大きくなる。しかし、孔４７の面積は同じため、単位面積当たりの孔４７の割合は徐々に小さくなる。
【００５３】
３．変形例
本発明は、実施の形態で説明した構成と実質的に同一の構成（機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【００５４】
なお、シート製造装置１００によって製造されるシートは、シート状にしたものを主に指す。しかしシート状のものに限定されず、ボード状、ウエブ状であってもよい。本明細書におけるシートは、紙と不織布に分けられる。紙は、パルプや古紙を原料とし薄いシート状に成形した態様などを含み、筆記や印刷を目的とした記録紙や、壁紙、包装紙、色紙、画用紙、ケント紙などを含む。不織布は紙より厚いものや低強度のもので、一般的な不織布、繊維ボード、ティッシュペーパー、キッチンペーパー、クリーナー、フィルター、液体吸収材、吸音体、緩衝材、マットなどを含む。なお、原料としてはセルロースなどの植物繊維やＰＥＴ（ポリエチレンテレフタレート）、ポリエステルなどの化学繊維や羊毛、絹などの動物繊維であってもよい。
【００５５】
また、堆積部７５に堆積された堆積物に、水分を噴霧添加するための水分噴霧器が設けられていてもよい。これにより、シートＰを成形した際の水素結合の強度を高くすることができる。水分の噴霧添加は、加熱部５２を通過する前の堆積物に対して行われる。水分噴霧器で噴霧する水分には、澱粉やＰＶＡ（ポリビニルアルコール）等が添加されていてもよい。これにより、さらにシートＰの強度を高くすることができる。
【００５６】
シート製造装置１００には、粗砕部１０は無くても良い。例えば、既存のシュレッダーなどで粗砕したものを原料とするなら粗砕部１０は不要となる。
【００５７】
また、上記実施形態では、乾式のシート製造装置に適用した場合について説明したが、本発明を湿式のシート製造装置に適用してもよい。
【符号の説明】
【００５８】
１０  粗砕部、１１  粗砕刃、１５  ホッパー、２０  解繊部、２１  導入口、２２  排出口、３０  混合部、４０  第２搬送部、４１  第２搬送ベルト、４２  張架ローラー、４３  吸引室、４４  吸引部、４５  管、４６  整流板、４７  孔、４９  開口、５０  加圧部、５２  加熱部、６３  分級部、６４  導入口、６７  下部排出口、６８  上部排出口、７０  ほぐし部、７１  導入口、７５  堆積部、７６  第１搬送ベルト、７７  張架ローラー、７８  サクション装置、７９  第１搬送部、８１，８２，８４，８６  管、
８７  供給口、８８  樹脂供給部、９０  切断部、９５  スタッカー、１００  シート製造装置
【図１】
2015168903.tif 000003
【図２】
2015168903.tif 000004
【図３】
2015168903.tif 000005
【図４】
2015168903.tif 000006
【図５】
2015168903.tif 000007